(57)【要約】【課題】  短絡電流保護が施されたコンバータ回路を提供する。【解決手段】  第１のエネルギー蓄積部（３）と該第１のエネルギー蓄積部（３）と直列に接続された第２のエネルギー蓄積部（４）とヒューズ（５）とを有するＤＣ電圧回路サブシステム（２．１）によって形成されたＤＣ電圧回路（１）を有する。さらに、各々の対がパワー半導体スイッチを有する少なくとも１対の分岐線（６）が、各々の相（Ｒ、Ｓ、Ｔ）に対して設けられ、ＤＣ電圧回路（１）と並列に接続される。低インダクタンスのコンバータ回路を達成するために、ヒューズ（５）は、第１のエネルギー蓄積部（３）と第２のエネルギー蓄積部（４）の間に接続を形成する。【選択図】      図１
2004357492.tif 000002
【特許請求の範囲】
【請求項１】
第１のエネルギー蓄積部（３）と前記第１のエネルギー蓄積部（３）と直列に接続された第２のエネルギー蓄積部（４）とヒューズ（５）とを有するＤＣ電圧回路サブシステム（２．１）により形成されるＤＣ電圧回路（１）を有し、各々の対がパワー半導体スイッチを有する少なくとも１対の分岐線（６）が、各々の相（Ｒ、Ｓ、Ｔ）に対して設けられ、かつ前記ＤＣ電圧回路（１）と並列に接続された短絡電流保護が施されたコンバータ回路であって、前記ヒューズ（５）が、前記第１のエネルギー蓄積部（３）と前記第２のエネルギー蓄積部（４）の間に接続を形成することを特徴とするコンバータ回路。
【請求項２】
前記第１のエネルギー蓄積部（３）が少なくとも１つのコンデンサを有し、
前記第２のエネルギー蓄積部（４）が少なくとも１つのコンデンサを有する、
ことを特徴とする請求項１に記載のコンバータ回路。
【請求項３】
第１のエネルギー蓄積部（３）が２つ又はそれ以上のコンデンサを有する場合には、前記コンデンサが並列に接続され、
第２のエネルギー蓄積部（４）が２つ又はそれ以上のコンデンサを有する場合には、前記コンデンサが並列に接続された、
ことを特徴とする請求項２に記載のコンバータ回路。
【請求項４】
第１のエネルギー蓄積部（３）が２つ又はそれ以上のコンデンサを有する場合には、前記コンデンサが直列に接続され、
第２のエネルギー蓄積部（４）が２つ又はそれ以上のコンデンサを有する場合には、前記コンデンサが直列に接続された、
ことを特徴とする請求項２に記載のコンバータ回路。
【請求項５】
各々の場合に、２つの相（Ｒ、Ｓ、Ｔ）が第１の駆動可能な短絡素子（８）を介して互いに接続されたことを特徴とする前記請求項の１つに記載のコンバータ回路。
【請求項６】
前記第１の駆動可能な短絡素子（８）が、並列に背中合わせに接続された２つの駆動可能なパワー半導体スイッチから形成され、各々が圧力接点を有することを特徴とする請求項５に記載のコンバータ回路。
【請求項７】
少なくとも１つの第２の駆動可能な短絡素子（７）が、前記ＤＣ電圧回路サブシステム（２．１）と並列に接続されたことを特徴とする前記請求項の１つに記載のコンバータ回路。
【請求項８】
前記第２の駆動可能な短絡素子（７）が、圧力接点を有する駆動可能なパワー半導体の形態であることを特徴とする請求項７に記載のコンバータ回路。
【請求項９】
前記ＤＣ電圧回路（１）が、前記ＤＣ電圧回路サブシステム（２．１）に加えて少なくとも１つのさらなるＤＣ電圧回路サブシステム（２．２、・・・、２．ｎ）を有し、前記ＤＣ電圧回路サブシステム（２．１、・・・、２．ｎ）が、互いに並列に接続されることを特徴とする前記請求項の１つに記載のコンバータ回路。
【発明の詳細な説明】
【技術分野】
【０００１】
本発明は、パワーエレクトロニクスの分野に関する。本発明は、特許請求の範囲の独立項の前文による短絡電流保護が施されたコンバータ回路に基づいている。
【背景技術】
【０００２】
今日、コンバータ回路は、例えば、鉄道用途のための駆動技術、又はソリッド・ステート変換装置におけるような、多様なパワーエレクトロニクス用途に用いられている。このようなコンバータ回路は、通常、短絡電流が発生しないように保護され、該コンバータ回路が損傷又は破壊されるのを防止する。このような短絡電流保護が施されたコンバータ回路は、例えば、「ＤＣリンク・インバータ用途におけるヒューズによる付加されたインダクタンスの決定、駆動及び制御、２００１年３月１３日−１５日、ロンドン」の中に述べられている。この場合、コンバータ回路は、第１のエネルギー蓄積部を有するＤＣ電圧回路サブシステムによって形成される。このＤＣ電圧回路サブシステムは、第１のエネルギー蓄積部と直列に接続された第２のエネルギー蓄積部とヒューズとを有する。この２つのエネルギー蓄積部は、各々がコンデンサの形態であり、各々のコンデンサは、直列に接続されたヒューズを介してＤＣ電圧回路の母線システムに接続される。このコンバータ回路には、各々の対がパワー半導体スイッチを有する少なくとも１対の分岐線が、各々の相に対して設けられ、母線システムを介してＤＣ電圧回路に並列して接続される。ここで、１対の分岐線の１つ又はそれ以上の駆動可能なパワー半導体スイッチ内に短絡電流が生じた場合には、２つのコンデンサは極めて迅速に放電され、短絡電流が、主として、対応する対の分岐線の短絡されたパワー半導体スイッチを介して流れる。各々の場合において、対応するコンデンサの１つのヒューズは、ＤＣ電圧回路サブシステム、よってＤＣ電圧回路自体を隔離することによって、主として短絡電流によって影響を受ける対の分岐線及び他の対の分岐線から、この短絡電流をできるだけ迅速に遠ざけるように働く。
【発明の開示】
【発明が解決しようとする課題】
【０００３】
「ＤＣリンク・インバータ用途におけるヒューズによる付加されたインダクタンスの決定、駆動及び制御、２００１年３月１３日−１５日、ロンドン」による、短絡電流保護が施されたコンバータ回路を用いる１つの問題は、２つのヒューズの寄生インダクタンス及び２つのコンデンサの接続が合計されるので、コンデンサと直列に接続された２つのヒューズ及び２つのコンデンサの接続がＤＣ電圧回路をもたらし、よって、短絡電流保護が施されたコンバータ回路が高度に誘導性になることである。この全体の寄生インダクタンスは、２つのコンバータ回路と共に振動経路を形成し、この振動経路は、特にスイッチが切られたときにわずかに減衰し、対応するパワー半導体スイッチが行うあらゆるスイッチング手順により再び振動させられる。全体の寄生インダクタンスに蓄積された電気エネルギーは、このような振動が生じた場合に、スイッチ・オフ電流とほぼ同じ大きさであるこれらの振動の電流振幅をもたらす。これらの振動の減衰、よって、全体の寄生インダクタンスに蓄積された電気エネルギーの損失は、もっぱら、ＤＣ電圧回路及び母線システムの２つのコンデンサの無効でない抵抗成分内に流れる電流によって生じる。このことにより、電力損失に対して高い電気負荷及び熱負荷がこれらの成分にもたらされる。さらに、２つのヒューズを用いるために、ＤＣ電圧回路サブシステムの設計は、組立てが複雑であり、多くの成分を必要とし、このことは少なからぬ費用をもたらす。さらに、ＤＣ電圧回路サブシステムに設けられる２つのヒューズは、多くのスペースを占める。したがって、例えば、電気鉄道における牽引用途に必要とされるような、短絡電流保護が施されたコンバータ回路のための、よりコンパクトな小型の設計は、実行可能ではないか、又は非常に限られた範囲にのみ可能である。
【課題を解決するための手段】
【０００４】
したがって、本発明の目的は、低インダクタンスを有し、成分をほとんど用いずに簡単な方法で製造することができ、スペースをあまり必要としない短絡電流保護が施されたコンバータ回路を提案することである。この目的は、請求項１の特徴によって達成される。本発明の有利な展開は、従属項において説明される。
【０００５】
本発明による短絡電流保護を有するコンバータ回路が、第１のエネルギー蓄積部と該第１のエネルギー蓄積部と直列に接続された第２のエネルギー蓄積部とヒューズとを有するＤＣ電圧回路サブシステムによって形成されたＤＣ電圧回路を有する。さらに、コンバータ回路には、各々の対がパワー半導体スイッチを有する少なくとも１対の分岐線が、各々の相に設けられ、ＤＣ電圧回路と並列に接続される。本発明によると、ヒューズは、第１のエネルギー蓄積部と第２のエネルギー蓄積部の間に接続を形成する。従来技術による短絡電流保護が施されたコンバータ回路と比較すると、ヒューズを省くことができ、よってコンバータ回路の全体の寄生インダクタンスを減少させることができるので、このことは、ＤＣ電圧回路、よって低インダクタンスを有する短絡電流保護が施されたコンバータ回路を達成することを有利に可能にする。さらに、有利に減少された全体の寄生インダクタンスは、切り換えられ、特にスイッチがオフにされるときにコンバータ回路の１対の分岐線のパワー半導体スイッチにより引き起こされ、非常に小さな振幅だけ、特に電流振幅を有する電気振動を、全体の寄生インダクタンスとＤＣ電圧回路のエネルギー蓄積部の間に生じさせる。したがって、コンバータ回路の成分にかかる電気負荷及び熱負荷を減少させることができる。
【０００６】
さらに、ＤＣ電圧回路サブシステムのためにただ１つのヒューズを使用するために、本発明による短絡電流保護が施されたコンバータ回路の組立て及び設計は、非常に簡単なものであり、成分をほとんど必要とせず、このことは、相当なコスト削減ができることを意味する。さらに、本発明によるコンバータ回路は、最小限のスペースしか必要としないので、有利にコンパクトな設計を有することができる。本発明によるコンバータ回路は、単一の相を供給する用途及び大きいエネルギー蓄積キャパシタンスを有する用途に有利に適している。
本発明のこれら及びさらなる目的、利点、特徴は、図面と共に以下の本発明の好ましい実施形態の詳細な説明から推論することができる。
【発明を実施するための最良の形態】
【０００７】
図に用いられる参照番号及びそれらの意味は、参照番号のリストに要約して列挙される。原則として、図の同じ部品には、同じ参照番号が与えられる。説明される実施形態は、例として本発明の主題を表すものであり、限定の趣旨を有するものではない。
図１は、本発明による短絡電流保護が施されたコンバータ回路の第１の実施形態を示す。さらに、図２は、図１に示される本発明による短絡電流保護が施されたコンバータ回路の第１の実施形態の詳細を示す。図１によると、本発明によるコンバータ回路が、第１のエネルギー蓄積部３と該第１のエネルギー蓄積部３と直列に接続された第２のエネルギー蓄積部４とヒューズ５とを有するＤＣ電圧回路サブシステム２．１により形成されるＤＣ電圧回路１を有する。さらに、図１によるコンバータ回路には、各々の対がパワー半導体スイッチを有する少なくとも１対の分岐線６が、各々の相Ｒ、Ｓ、Ｔに対して設けられ、ＤＣ電圧回路１と並列に接続されており、すなわち、このように、一般に、各々の対の分岐線６は如何なる所望の数のパワー半導体スイッチも有するので、各々の対の分岐線６に対して単一のパワー半導体スイッチだけを有する実施形態も考えられる。各々の対の分岐線６とＤＣ電圧回路１との間の接続は、該ＤＣ電圧回路１の母線システムを介してなされる。各々のパワー半導体スイッチは、駆動可能な双方向性のパワー半導体スイッチの形態、特に、同じく並列に背中合わせに接続されたダイオードを有する絶縁ゲート電極（ＩＧＢＴ）を有するバイポーラトランジスタの形態であることが好ましい。もちろん、このような上述の駆動可能な双方向性パワー半導体は、例えば、ＧＴＯ、又は対応する回路を有するＩＧＣＴのようなターンオフ・サイリスタ、或いは並列に背中合わせに接続されたダイオードを有するパワーＭＯＳＦＥＴの形態であってもよい。
【０００８】
図１に示される本発明によるコンバータ回路の実施形態、及び、図３及び図５により以下に説明される実施形態において、本発明によるコンバータ回路は、例えば、各々の場合において、三相設計より少ないものである。しかしながら、一般に、本発明によるコンバータ回路は、如何なる数の相も有することができ、この場合は、既述のように、対応するパワー半導体スイッチを有する１対の分岐線６が、各々の相に対して設けられる。
本発明によると、ヒューズ５は、第１のエネルギー蓄積部３と第２のエネルギー蓄積部４の間の接続を形成する。短絡電流保護が施された周知のコンバータ回路と比較すると、ヒューズ５を省くことができ、よってコンバータ回路の全体の寄生インダクタンスを減少させることができるので、このことは、ＤＣ電圧回路１、よって低インダクタンスの短絡電流保護が施されたコンバータ回路を有利に提供するものである。従来技術によるコンバータ回路のヒューズ５の多くの構成と比較すれば、通常の作動において、本発明によるコンバータ回路のヒューズ５の構成のために、比較的小さい電流だけがヒューズ５を通って流れるので、低い定格電流を用いる安価なヒューズ５を選択することができる。さらに、今や減少された全体の寄生インダクタンスは、切り換えられ、特にスイッチがオフにされるときにコンバータ回路の１対の分岐線６のパワー半導体スイッチにより引き起こされ、非常に小さな振幅だけ、特に電流振幅を有する電気振動を、全体の寄生インダクタンスとＤＣ電圧回路１のエネルギー蓄積部３、４の間に生じさせる。したがって、コンバータ回路のさらに別の成分にかかる電気負荷及び熱負荷を有利に減少させることができる。
【０００９】
１対の分岐線６の１つ又はそれ以上の駆動可能なパワー半導体スイッチにおいて生じる短絡電流の場合には、２つのエネルギー蓄積部３、４は、極めて迅速に放電し、短絡電流は、主として、対応する対の分岐線６の短絡されたパワー半導体スイッチを通って流れる。２つのエネルギー蓄積部３、４の間の接続を形成するヒューズ５は、今や、ＤＣ電圧回路サブシステム２．１を隔離することによって、できるだけ迅速にこの短絡電流を遮断し、よって、該短絡電流を主に影響を受ける対の分岐線６及び他の対の分岐線６から遠ざける目的を有する。ヒューズ５は、それらが十分に迅速であり、それらの構成のために低インダクタンスでもあるので、ヒューズ・リンクの形態であることが好ましい。
【００１０】
図１及び図２によると、ＤＣ電圧回路サブシステム２．１の第１のエネルギー蓄積部３が１つのコンデンサを有し、該ＤＣ電圧回路サブシステム２．１の第２のエネルギー蓄積部４が１つのコンデンサを有する。図３に示されるような本発明による短絡電流保護が施されたコンバータ回路の第２の実施形態、及び、図３に示されるような本発明による短絡電流保護が施されたコンバータ回路の第２の実施形態の図４に示されるような詳細において、ＤＣ電圧回路サブシステム２．１の第１のエネルギー蓄積部３は、２つのコンデンサを有し、該ＤＣ電圧回路サブシステム２．１の第２のエネルギー蓄積部４は、同様に２つのコンデンサを有する。このように、一般に、ＤＣ電圧回路サブシステム２．１の第１のエネルギー蓄積部３は、少なくとも１つのコンデンサを有し、該ＤＣ電圧回路サブシステム２．１の第２のエネルギー蓄積部４は、同様に少なくとも１つのコンデンサを有することが考えられる。図３及び図４によると、２つ又はそれ以上のコンデンサを有するＤＣ電圧回路サブシステム２．１の第１のエネルギー蓄積部３の場合には、コンデンサは並列に接続される。さらに、図３及び図４によると、２つ又はそれ以上のコンデンサを有するＤＣ電圧回路サブシステム２．１の第２のエネルギー蓄積部４の場合にも、コンデンサは並列に接続される。上述のコンデンサの並列回路は、ＤＣ電圧回路サブシステム２．１のキャパシタンス、よってＤＣ電圧回路１自体のキャパシタンスを有利に増加させる。代わりに、２つ又はそれ以上のコンデンサを有する第１のエネルギー蓄積部３の場合には、コンデンサが直列に接続されることになり、２つ又はそれ以上のコンデンサを有する第２のエネルギー蓄積部４の場合には、コンデンサが同様に直列に接続されることになることも考えられる。ＤＣ電圧回路サブシステム２．１の全体の電圧は、各々のコンデンサの両端にかかる個々の電圧の和であるので、上述のコンデンサの直列回路は、ＤＣ電圧回路サブシステム２．１の電圧、よってＤＣ電圧回路１自体の電圧を有利に増加させることができる。
【００１１】
図１及び図３によると、各々の場合において、二相Ｒ、Ｓ、Ｔが、第１の駆動可能な短絡素子８を介して互いに接続される。この場合には、それぞれの相Ｒ、Ｓ、Ｔ間の接続は、低インピーダンス値を有し、すなわち、非常に低い直列インピーダンスだけを有する。１つ又はそれ以上の相Ｒ、Ｓ、Ｔへの短絡の場合、この第１の駆動可能な短絡素子８は、該相Ｒ、Ｓ、Ｔからの、すなわち、例えば電力供給システムからの短絡によって引き起こされる短絡電流が、対応する対の分岐線６のパワー半導体スイッチを通って流れるのを防止し、特に、並列に背中合わせに接続されたダイオードを通る、これに応じて設計されたパワー半導体スイッチの場合、或いは短絡電流が低い振幅で流れることを可能にするだけなので、該パワー半導体スイッチは、それ以上損傷又は破壊されず、或いは全く損傷又は破壊されない。第１の短絡素子８は、短絡電流が検知装置によって１対の分岐線６内又は該１対の分岐線６上で検知されたときに駆動され、この場合の第１の駆動可能な短絡素子８は、各々の場合において該第１の短絡素子８に接続された二相Ｒ、Ｓ、Ｔを短絡させる。本発明による三相コンバータ回路の場合、各々の場合において、単に二相Ｒ、Ｓ、Ｔに対して１つの第１の短絡素子８を設けることも考えられる。有利に、このような第１の駆動可能な短絡素子８は、並列に背中合わせに接続された２つの駆動可能なパワー半導体から形成され、各々が、ディスク・サイリスタ又はＧＴＯのような圧力接点を有する。第１の駆動可能な短絡素子８は、トライアックの形態としてもよい。
【００１２】
図１及び図３によると、本発明によるコンバータ回路が、ＤＣ電圧回路サブシステム２．１と並列に接続された少なくとも１つの第２の駆動可能な短絡素子７を有する。１対の分岐線６の１つ又はそれ以上の駆動可能なパワー半導体スイッチにおける短絡の場合には、この第２の駆動可能な短絡素子７は、短絡によって引き起こされた、エネルギー蓄積部３、４又は相Ｒ、Ｓ、Ｔからの短絡電流、すなわち、例えば電力供給システムからの短絡電流が、対応する対の分岐線６の短絡されたパワー半導体スイッチを通って非常に短い間流れるだけであり、その後、短絡されたパワー半導体スイッチがそれ以上損傷又は破壊されないように、第２の短絡素子７を通って分流されることを保証する。第２の短絡素子７が、検知装置によって１対の分岐線６内又は該１対の分岐線６上で検知されたときに駆動され、この場合における第２の駆動可能な短絡素子７は、ＤＣ電圧回路１の対応するスイッチングによって短絡される。第２の短絡素子７が駆動する際、対応するパワー半導体スイッチの場合には、並列に背中合わせに接続されたダイオードは、例えば、第１の短絡素子８が設けられなったときに短絡電流を受ける。有利に、このような第２の駆動可能な短絡素子７は、ディスク・サイリスタ又はＧＴＯのような圧力接点を有する駆動可能なパワー半導体の形態である。この構成を有する第２の駆動可能な短絡素子７は、１対の分岐線６及び母線システムのＤＣ電圧回路１への接続部に直接配置されることが好ましく、その結果、スペースをさらに節約することができ、本発明による低インダクタンスのコンバータ回路を達成することができる。ＤＣ電圧回路サブシステム２．１、よってＤＣ電圧回路１の詳細に上述された短絡の場合には、電流容量を増加させるために、該ＤＣ電圧回路サブシステム２．１と並列に接続された２つ又はそれ以上の第２の駆動可能な短絡素子７を設けることもできる。第２の短絡素子７のさらに別の利点は、ＤＣ電圧回路サブシステム２．１の２つのエネルギー蓄積部３、４が、第２の短絡素子７のスイッチングによって初期段階に放電され、よって、ヒューズ５がより迅速に応答できることである。ヒューズ５の初期の応答は、主として短絡により影響される対の分岐線６及び他の対の分岐線６を、それ以上の損傷又は破壊からより効果的に保護することができる。
【００１３】
図５は、本発明による短絡電流保護が施されたコンバータ回路の第３の実施形態を示す。図５によるコンバータ回路は、図１及び図３に示され、上で詳述されたコンバータ回路の実施形態と、ＤＣ電圧回路１が前のＤＣ電圧回路サブシステム２．１に加えて少なくとも１つのさらなるＤＣ電圧回路サブシステム２．２、・・・、２．ｎを有し、ＤＣ電圧回路サブシステム２．１・・・、２．ｎが、互いに並列に接続されているという点で異なる。図３におけるように、図５によると、各々のＤＣ電圧回路サブシステム２．１、・・・、２．ｎは、関連した第１のエネルギー蓄積部３に対して２つ又はそれ以上のコンデンサを有することができ、関連した第２のエネルギー蓄積部４に対して２つ又はそれ以上のコンデンサを有することができる。図３におけるように、図５によると、各々のＤＣ電圧回路サブシステム２．１、・・・、２．ｎの第１及び第２のエネルギー蓄積部３、４のコンデンサは、この場合には、各々が並列に接続されることが好ましい。図３に示されるような本発明によるコンバータ回路の第２の実施形態の説明において既述されたように、コンデンサの並列回路は、それぞれのＤＣ電圧回路サブシステム２．１、・・・、２．ｎのキャパシタンス、よってＤＣ電圧回路１自体のキャパシタンスを有利に増加させる。代わりに、同じく図３に示されるような本発明によるコンバータ回路の第２の実施形態の説明において既述されるように、各々のＤＣ電圧回路サブシステム２．１、・・・、２．ｎの第１及び第２のエネルギー蓄積部３、４のコンデンサに対して、各々が直列に接続されることも考えられる。コンデンサのこの直列回路は、それぞれのＤＣ電圧回路サブシステム２．１、・・・、２．ｎの電圧、よってＤＣ電圧回路１自体の電圧を有利に増加させることができる。当然、各々のＤＣ電圧回路サブシステム２．１、・・・、２．ｎの第１のエネルギー蓄積部３及び第２のエネルギー蓄積部は、各々の場合において、１つだけのコンデンサを有することもできる。図１及び図３におけるように、図５によるコンバータ回路の実施形態において、第１の駆動可能な短絡素子７、及び各々の場合において二相Ｒ、Ｓ、Ｔに対して、第２の駆動可能な短絡素子８が設けられ、そこで言及された利点を有する第１及び第２の駆動可能な短絡素子７、８の詳細な説明が図１及び図３で説明される。もちろん、図１乃至図４におけるように、図５に示されるような本発明によるコンバータ回路の実施形態において、各々のＤＣ電圧回路サブシステム２．１、・・・、２．ｎに対してヒューズ５が設けられ、関連したＤＣ電圧回路サブシステム２．１、・・・、２．ｎの第１のエネルギー蓄積部３と該ＤＣ電圧回路サブシステム２．１、・・・、２．ｎの第２のエネルギー蓄積部４との間に接続を形成する。
【００１４】
前のＤＣ電圧回路サブシステム２．１に加えて、さらに別の並列接続されたＤＣ電圧回路サブシステム２．２、・・・、２．ｎを設ける利点は、ＤＣ電圧回路サブシステム２．１、・・・、２．ｎの並列回路によって、全体の寄生インダクタンスをさらに減少させ得ることである。このことは、最初に述べた、全体の寄生インダクタンスとＤＣ電圧回路１の第１及び第２のエネルギー蓄積部３、４の全ての間の電気振動の振幅をさらに減少させ得ることを有利に保証する。このように、コンバータ回路のさらに別の成分にかかる電気負荷及び熱負荷を有利に最小限まで減少させることができる。
【００１５】
さらに別の利点は、ＤＣ電圧回路サブシステム２．１、・・・、２．ｎの１つの中の短絡の場合には、短絡により影響を受けるＤＣ電圧回路サブシステム２．１、・・・、２．ｎだけが、関連したヒューズ５によって、残りのＤＣ電圧回路１から隔離されるという事実である。したがって、これらの冗長なＤＣ電圧回路サブシステム２．１、・・・、２．ｎが高度の選択性の達成を有利に可能にするので、短絡により影響を受けない残りのＤＣ電圧回路サブシステム２．１、・・・、２．ｎを用いて、実際に如何なる制限もなく、本発明によるコンバータ回路を作動させ続けることができる。本発明による短絡電流保護が施されたコンバータ回路が、例えば、電気鉄道の牽引用途のために用いられた場合には、こうしたコンバータ回路の連続作動が特に必須である。
本発明による短絡電流保護が施されたコンバータ回路は、全体的に取付けやすく簡単であり、よって低コストの構成によって特徴付けられ、最小限の数の成分で作動することができ、さらに、省スペースの、よってコンパクトな方法で設計することができる。
【図面の簡単な説明】
【００１６】
【図１】本発明による短絡電流保護を有するコンバータ回路の第１の実施形態を示す。
【図２】図１に示された、本発明による短絡電流保護を有するコンバータ回路の第１の実施形態の詳細を示す。
【図３】本発明による短絡電流保護を有するコンバータ回路の第２の実施形態を示す。
【図４】図３に示された、本発明による短絡電流保護を有するコンバータ回路の第２の実施形態の詳細を示す。
【図５】本発明による短絡電流保護を有するコンバータ回路の第３の実施形態を示す。
【符号の説明】
【００１７】
１：ＤＣ電圧回路
２．１、・・・、２．ｎ：ＤＣ電圧回路サブシステム
３：第１のエネルギー蓄積部
４：第２のエネルギー蓄積部
５：ヒューズ
６：対の分岐線
７：第２の駆動可能な短絡素子
８：第１の駆動可能な短絡素子
【図１】
2004357492.tif 000003
【図２】
2004357492.tif 000004
【図３】
2004357492.tif 000005
【図４】
2004357492.tif 000006
【図５】
2004357492.tif 000007